(57)【要約】　　　（修正有）【課題】ワイシャツ等の衣類を美しく折り畳む作業を効率的にし、かつ保管や出し入れの際に衣類が型くずれしにくいシャツホルダを提供する。【解決手段】中板部３、前板部２および背板部１からなる、各部が相互に折伸出来るように接続した一枚の板状のシャツホルダであり、中板部をワイシャツ等の背に当てることにより、美しく折り畳むことを容易にし、また中板部を心材とし、前板部、背板部で衣類全体を包み確実に保持することで型くずれや皺が寄ることを防止する。【選択図】　　図１
2004083125.tif 000002
【特許請求の範囲】
【請求項１】
ワイシャツやブラウスなど袖付き衣類を畳む際に、ガイド兼心材となり形を整える中板部３と、畳んだ衣類の前後左右を保護するために中板３より幅広に作られた前板部２及び背板部１からなり、中板部３と前板部２、また前板部２と背板部１が相互に折伸出来るように接続され、中板部３を中心に巻き折りした際に中板部３もしくは前板部２と背板部１の一部を留具として填め合わせることで形態を保持固定する、一枚の板状のシャツホルダ。
【請求項２】
ワイシャツやブラウスなど袖付き衣類を畳む際に、ガイド兼心材となり形を整える中板部３と、畳んだ衣類の前後左右を保護するために中板３より幅広に作られた前板部２及び背板部１からなり、中板部３と前板部２、また前板部２と背板部１が相互に折伸出来るように接続され、中板部３を中心に巻き折りした際に中板部３もしくは前板部２と背板部１の一部を留具として填め合わせることで形態を保持固定することができ、かつ前板部２と背板部１を折り合わせた際に、背板部１の両側面に前板部２方向に突き出すように設けた爪５ａ及び５ｂに、前板部２の側面６ａ及び６ｂをそれぞれ填め込むことで、前板部２に膨らみを持たせたまま形態を保持固定する、一枚の板状のシャツホルダ。
【発明の詳細な説明】
【０００１】
【従来の技術】
ワイシャツやブラウスなど袖のある衣類をきれいに折り畳むために、衣類の背部に板紙等を当てて折り畳むことは一般的に知られている。また折り畳んだ衣類を保護するためには袋等に入れて保管すればよいことも周知である。
【０００２】
本発明で言うところの中板部、前板部、背板部を備えるシャツホルダに類似した先行技術は存在する（例えば特許文献１参照）
【０００３】
【特許文献１】
特開２０００−６２８７４（公報６頁、図１、図２）
【０００４】
【発明が解決しようとする課題】
ワイシャツやブラウスなど袖付きの衣類を美しく折り畳むことは容易ではない。また一旦折り畳んだ衣類も、保管や出し入れ、また旅行などでの移動の際に、皺が寄るなど型くずれが起こりやすい。販売時には衣類の背部に板紙等が当てられ美しく折り畳まれ、更に保護のために袋等に入れてあることが多いので型くずれも少ないことは周知である。しかしながら一般の家庭で畳んで収納する際に、こうした板紙や袋を使うことは少ない。その理由の一つに、板紙や袋を別々に用意する煩わしさや費用の問題、また作業が繁雑になることがあると推定される。本発明の目的は、折り畳みのガイドとなる中板と全体を保護する前板部および背板部が一枚の板状の素材からなる、衣類を美しく折り畳む作業を効率的にし、保管や出し入れの際に衣類が型くずれしにくい、廉価なシャツホルダの提供にある。
【０００５】
特許文献１に於いて、背面押さえ平板部３は衣類を畳む際のガイド兼心材ではなく、前面上部押さえ平板部１および前面下部押さえ平板部２と共に衣類を押さえて保持することを目的とする。しかるに衣類の左右方向の位置ズレやはみ出しの恐れがあるために、各平板部と衣類との摩擦をより高めるための機構として突起９１ａ・９１ｂまた９２ａ・９２ｂ等を示している。平積みして保管するだけであれば十分な仕様であるが、置き方によっては衣類の位置ズレは完全に防げない。例えば旅行の際トランク内で縦置き状態になった場合等、振動等で著しく位置ズレや偏りを起こす恐れが大きい。
【０００６】
【課題を解決するための手段】
本発明は、中板部、前板部および背板部からなり、各部が相互に折伸出来るように接続した、一枚の板状のシャツホルダに関するものである。中板部をワイシャツ等の背に当て折り畳みのガイドとして活用することにより、美しく折り畳むことを容易にし、また中板部を心材とし、中板部より幅広の前板部、背板部で衣類仝体を包むことでより確実に保持し、型くずれや皺が寄ることを防止する。特に、中板部を心材として衣類を畳む構造のため、衣類の位置ズレの恐れはほとんどない。さらに請求項２に示す爪５ａ・５ｂに前板部２の側面６ａ・６ｂをそれぞれ填め込むることで衣類をより確実に保護し、左右のはみだしもほぼ防止できる。
【０００７】
【実施例】
以下、本発明の実施例と使用手順を図面に基づいて説明する。図１は本発明の請求項２に関する実施例の展開図である。材質は樹脂・板紙等が考えられるが、耐久性や弾力性、また衣類の視認性を考慮すると透明の硬質エンビなど樹脂類が有望である。また請求項１は図１から爪５ａ・５ｂのみを省いたものである。背板部１と前板部２は折目４ａで、また前板部２と中板部３は折目４ｂで折伸できる。折り曲げた際に衣類が収まる空間を確保するために折目４ａ・４ｂはそれぞれ複数本設ける。図２は中板部３を内側にして折り畳んだ状態である。背板留具１ａを留穴３ｂに差し込むことによって折り畳んだ状態を保持することができる。図３は実施例の使用手順である。（イ）〜（ト）は請求項１、請求項２に共通する手順であり、（チ）は請求項２のみに関する手順の図面である。まず（イ）のように、シャツホルダの上にワイシャツ、ブラウス等を背を上にして置く。この際、襟首部が襟首窓２ａの位置にくるようにする。次に（ロ）のように中板部３を衣類側に折り畳む。この際に襟首を襟首窓２ａから出す。次に（ハ）のように中板部３をガイドとしてワイシャツ等の側面部及び袖を中板部３に折り畳む。更に（ニ）のように袖を丈方向に畳む。（ホ）のように他方の側面部及び袖も同様に折り畳む。次に（ヘ）のように裾の方を内側にして三段に折り畳む。最後に（ト）のように背板部１を衣類側に折り、背板留具１ａを中板留具３ａに設けた留穴３ｂに填め込み固定する。さらに請求項２に関する実施例の場合には（チ）で、爪５ａ・５ｂを両親指で押し込みながら、前板部を湾曲させ、前板側面６ａ・６ｂを爪５ａ・５ｂに填め込む。これにより前板部２に膨らみを持たせたまま形状を固定することができる。
【０００８】
【発明の効果】
本発明のシャツホルダが一枚の板状から組み立てられる仕様であるため、衣類の折り畳みから収納までの作業を効率的に行える。図４はワイシャツを収納した請求項２に関する実施例の正面図と側面図であるが、爪５ａ・５ｂに前板部２を手前方向に膨らませた状態で填め込み、形状を保持しているので、特に襟部の形状保護に有利であり、かつ左右側面をより確実に閉じるので衣類の畳みのゆるみや衣類のはみ出しもほぼ防止できる。また図５はワイシャツを収納した請求項１に関する実施例、あるいは請求項２において爪５ａ・５ｂを利用しない場合の実施例の正面図と側面図であるが、襟の形状保護を特に必要としない場合にはこの方法を選択すれば、正面から見て奥方向に圧縮の自由度がより高く、引き出し等に積み重ねる際の収納性が図４より有利である。その選択は使用者の自由である。いずれも組み立てたシャツホルダが畳んだ衣類の形状を保持するために、型くずれを気にせずに衣類の積み重ねや出し入れや運搬が可能となる。堅牢性のある素材を用いれば縦置きや、吊り下げ穴７ａ・７ｂを設けフック等に吊り下げるなど保管様態の自由度も増す。また穴ではなくフック型に作ることも考えられる。素材として透明素材を使用すれば、衣類の色や柄等が見易く、保管用途だけでなく、商品陳列用の保護シャツホルダとしても活用できる。また一枚の板状の素材から型抜きにより造ることが可能なので、製造上有利である。
【図面の簡単な説明】
【図１】本発明請求項２に関する実施例の展開図である。
【図２】本発明請求項１および請求項２実施例の組立図である。
【図３】本発明請求項２の実施例の使用手順の図である。
（イ）シャツホルダの上にワイシャツ、ブラウス等を背を上にして置いた図
（ロ）中板部３を衣類側に折り畳んだ図
（ハ）中板部３をガイドとして衣類側面部及び袖を折り畳んだ図
（ニ）袖を丈方向に畳んだ図
（ホ）他方の側面部及び袖も同様に折り畳んだ図
（ヘ）裾の方を内側にして三段に折り畳んだ図
（ト）背板部１を衣類側に折り、背板留具１ａを留穴３ｂに差し固定した図
（チ）爪５ａ・５ｂを前板側面６ａ・６ｂに填め込んだ図
【図４】ワイシャツ等を収納した本発明請求項２の実施例の正面及び側面から見た組立図である。
【図５】ワイシャツを収納した請求項１に関する実施例、あるいは請求項２で爪５ａ・５ｂを利用しない場合の実施例の正面図と側面図である。
【符号の説明】
１　　背板部
１ａ　背板留具
２　　前板部
２ａ　襟首窓
３　　中板部
３ａ　中板留具
３ｂ　留穴
４ａ　折目
４ｂ　折目
５ａ　爪
５ｂ　爪
６ａ　前板側面
６ｂ　前板側面
７ａ　吊り下げ穴
７ｂ　吊り下げ穴
Ｙ　　シャツ
【図１】
2004083125.tif 000003
【図２】
2004083125.tif 000004
【図３】
2004083125.tif 000005
【図４】
2004083125.tif 000006
【図５】
2004083125.tif 000007